(57)【特許請求の範囲】
【請求項１】
利用者によって当該携帯通信端末（５０）が握られていることを検出する検出手段（５４）と、前記検出手段の検出に基づいて前記握られた時間を算出する算出手段（１１０）と、前記握られた時間と前記利用者の希望情報を要求する旨との双方を送信する送信手段（１３０、１５０）とを備えた携帯通信端末が、前記握られた時間と、前記利用者の希望情報を要求する旨との双方を情報提供装置（１０）に通知するステップ（１４０、１５０）と、
前記情報提供装置が、前記握られた時間と前記希望情報を要求する旨との通知を受け、前記握られた時間に応じて前記希望情報における前記利用者への提供を許可するか否かを選択するステップ（２１０、２８０、２９０）と、
前記情報提供装置が、前記希望情報における前記利用者への提供を許可したとき、前記希望情報を前記携帯通信端末に送信するステップ（３００）と、
前記携帯通信端末が、前記希望情報を受信して、前記希望情報を前記利用者に提供するステップ（１６０）と
を有することを特徴とする情報提供方法。
【請求項２】
携帯通信端末（５０）にその利用者における希望情報を提供する情報提供装置の情報提供方法であって、
利用者によって当該携帯通信端末が握られていることを検出する検出手段（５４）と、前記検出手段の検出に基づいて前記握られた時間を算出する算出手段（１１０）と、前記握られた時間と前記利用者の希望情報を要求する旨との双方を送信する送信手段（１３０、１５０）とを備えた携帯通信端末から送信された、前記握られた時間と、前記希望情報を要求する旨との双方を受信するステップ（２１０、２８０）と、
前記握られた時間に応じて前記希望情報における前記利用者への提供を許可するか否かを選択するステップ（２９０）と、
前記希望情報における前記利用者への提供を許可したとき、前記希望情報を前記携帯通信端末に送信するステップ（３００）と、
を有することを特徴とする情報提供装置の情報提供方法。
【請求項３】
利用者によって当該携帯通信端末が握られていることを検出する検出手段（５４）と、
前記検出手段の検出に基づいて前記握られた時間を算出する算出手段（１１０）と、
前記握られた時間に応じて異なる動作を行うことにより、前記握られた時間に応じて異なるサービスを前記利用者に提供する提供手段（５２、５７、５８、６０、１６０、４４０、４７０、５００、５３０）と
を有することを特徴とする携帯通信端末。
【請求項４】
前記提供手段は、
画像を表示する表示パネル（５２）と、
前記握られた時間に応じて異なる画像を表示させるように前記表示パネルを制御する制御手段（１６０、４４０、４７０、５００、５３０）と
を有することを特徴とする請求項３に記載の携帯通信端末。
【請求項５】
前記表示パネルは、所定機能の為のアイコンを、前記画像として表示し、
前記制御手段は、前記握られた時間が一定時間以上になったとき、前記アイコンの意匠を変えるように前記表示パネルを制御することを特徴とする請求項４に記載の携帯通信端末。
【請求項６】
利用者によって当該携帯通信端末が握られていることを検出する検出手段（５４）と、
前記検出手段の検出に基づいて前記握られた時間を算出する算出手段（１１０）と、
前記握られた時間と前記利用者の希望情報を要求する旨との双方を送信する送信手段（１３０、１５０）と、
前記希望情報として、前記握られた時間に応じて異なる情報を受信し、この受信された情報を利用者に提供する提供手段（１６０）と
を有することを特徴とする携帯通信端末。
【請求項７】
利用者によって当該携帯通信端末が握られていることを検出する検出部と、データの送受信部とを備える携帯通信端末に、
前記利用者によって当該携帯通信端末が握られていることを検出するステップと、
前記握られていることの検出に基づき、前記握られた時間を算出する算出ステップと、
前記握られた時間を送信するステップと、
前記握られた時間に応じて異なる情報を受信し、この受信された情報を利用者に提供するステップと
を実行させるプログラム。
【発明の詳細な説明】
【０００１】
【発明の属する技術分野】
本発明は、携帯電話、ＰＨＳ等の携帯通信端末に情報を提供する情報提供方法に関する。
【０００２】
【従来の技術】
従来、携帯電話では、通話時間によって利用者をランク分けし、ランクに応じて異なるアニメーションを液晶パネルに表示させるようにするサービスがある。
【０００３】
【発明が解決しようとする課題】
上述した携帯電話では、通話時間によってランク分けしている。しかしながら、利用者によっては、通話は行わないものの、スケジュール機能を利用するため等、頻繁に携帯電話を触り、操作している者も存在し、このような利用者にとっては、上記従来技術の物では上記サービスを受けられないといった問題がある。
【０００４】
本発明は、上記点に鑑み、利用者によって携帯通信端末を握った時間に応じて、異なるサービスを利用者に提供できるようにした情報提供方法を提供することを目的とする。
【０００５】
【課題を解決するための手段】
本発明では、上記目的を達成するため、情報提供方法としては、請求項１に記載の発明のように、利用者によって携帯通信端末（５０）が握られた時間と、利用者の希望情報を要求する旨との双方を情報提供装置（１０）に通知するステップ（１４０、１５０）と、情報提供装置が、握られた時間と希望情報を要求する旨との通知を受け、握られた時間に応じて希望情報における利用者への提供を許可するか否かを選択するステップ（２１０、２８０、２９０）と、情報提供装置が、希望情報における利用者への提供を許可したとき、希望情報を前記携帯通信端末に送信するステップ（３００）と、携帯通信端末が、希望情報を受信して、希望情報を利用者に提供するステップ（１６０）とを有するようにしてもよい。
【０００６】
このように、情報提供装置は、前記握られた時間に応じて希望情報における利用者への提供を許可するか否かを選択し、希望情報の提供を許可したとき、希望情報を前記携帯通信端末に送信する。このため、利用者は、携帯通信端末によって、携帯通信端末を握った時間に応じて異なる希望情報を、得ることができるため、利用者によって携帯通信端末を握った時間に応じて異なるサービスを利用者に提供できる。
【０００７】
ここで、情報提供装置の情報提供方法としては、請求項２に記載の発明のように、利用者によって携帯通信端末が握られた時間と、希望情報を要求する旨との双方を受信するステップ（２１０、２８０）と、握られた時間に応じて希望情報における利用者への提供を許可するか否かを選択するステップ（２９０）と、希望情報における利用者への提供を許可したとき、希望情報を携帯通信端末に送信するステップ（３００）とを有するようにしてもよい。このように、情報提供装置は、前記握られた時間に応じて希望情報における利用者への提供を許可するか否かを選択し、希望情報の提供を許可したとき、希望情報を前記携帯通信端末に送信するため、請求項１に記載の発明と同様の効果が得られる。
【０００８】
また、携帯通信端末としては、請求項３に記載の発明のように、利用者によって握られていることを検出する検出手段（５４）と、検出手段の検出に基づいて前記握られた時間を算出する算出手段（１１０）と、握られた時間に応じて異なる動作を行うことにより、握られた時間に応じて異なるサービスを利用者に提供する提供手段（５２、５７、５８、６０、１６０、４４０、４７０、５００、５３０）とを有するようにしてもよい。これにより、前記握られた時間に応じて異なる動作を行うことにより、前記握られた時間に応じて異なるサービスを利用者に提供できる。
【０００９】
具体的には、請求項４に記載の発明のように、提供手段は、画像を表示する表示パネル（５２）と、前記握られた時間に応じて異なる画像を表示させるように表示パネルを制御する制御手段（１６０、４４０、４７０、５００、５３０）とを有するようにしてもよい。さらに、請求項５に記載の発明のように、表示パネルは、所定機能の為のアイコンを、前記画像として表示し、制御手段は、前記握られた時間が一定時間以上になったとき、アイコンの意匠を変えるように表示パネルを制御するようにしてもよい。これにより、前記握られた時間が一定時間以上になったとき、利用者は、表示パネルによって、新たな意匠のアイコンを見ることができるので、利用者に握られた時間に応じて異なるサービスを利用者に提供できる。
【００１０】
また、請求項６に記載の発明では、利用者によって握られていることを検出する検出手段（５４）と、検出手段の検出に基づいて前記握られた時間を算出する算出手段（１１０）と、握られた時間と前記利用者の希望情報を要求する旨との双方を送信する送信手段（１３０、１５０）と、希望情報として、前記握られた時間に応じて異なる情報を受信し、この受信された情報を利用者に提供する提供手段（１６０）とを有することを特徴とする。これにより、希望情報として、前記握られた時間に応じて異なる情報を利用者に提供できるため、前記握った時間に応じて、異なるサービスを利用者に提供できる。
【００１１】
また、請求項７に記載の発明では、例えば、タッチセンサ等により利用者によって握られている時間を算出し送信すると、この握られた時間に応じて異なる情報を受信し、利用者に提供する動作をプログラムを携帯通信端末に実行させることができる。
【００１２】
これにより、携帯通信端末の利用者は、携帯通信端末を握った時間に応じて異なる情報を得ることができるという効果を得ることができる。
【００１３】
因みに、上記各手段の括弧内の符号は、後述する各実施形態に記載の具体的手段との対応関係を示す一例である。
【００１４】
【発明の実施の形態】
（第１実施形態）
図１に本発明に係る携帯電話での通信システムの第１実施形態を示す。図１は、通信システムの概略構成を示す図である。通信システムは、携帯電話５０に加えて、サービス提供サーバー１０、インターネット（ネットワーク）２０、ゲートウェイサーバー３０、及び基地局４０から構成されている。
【００１５】
図１に示すサービス提供サーバー（情報提供装置）１０は、インターネット２０に接続されたものであって、各種のコンテンツ（各種の情報）を、後述する如く、携帯電話５０に提供する。但し、サービス提供サーバー１０は、第１〜第３のランクフラグを有するメモリを備えている。また、ゲートウェイ（変換）サーバー３０は、インターネット２０における通信プロトコル（及び記述言語）と携帯電話５０の通信網（通信事業者の）の通信プロトコル（及び記述言語）とを互いに変換する。これにより、ゲートウェイサーバー３０は、通信事業者の通信網とインターネット２０との間における通信を可能にする。基地局４０は、通信事業者の通信網（ネットワーク）の一部であって、携帯電話５０に対して無線通信を行う。
【００１６】
次に、携帯電話５０の詳細について図１、図２に基づいて説明する。図２は、携帯電話の斜視図である。携帯電話（携帯通信端末）５０は、図１、図２に示すように、直方形のケース５１、液晶パネル（表示パネル）５２、キー操作部５３、及び板状のセンサエレメント５４ａ、５４ｂを有する。液晶パネル５２は、ケース５１の正面５１ａ側に配設されている。キー操作部５３は、テンキー、確定キー、選択キー等の各種キーを有するもので、ケース５１の正面５１ａ側に配設されている。図１に示すように、センサエレメント５４ａは、直方形のケース５１の一側の側面５１ｂに沿って配設され、センサエレメント５４ｂは、ケース５１の他側の側面５１ｃに沿って配設されている。
【００１７】
次に、携帯電話５０の電気回路構成について図３に基づいて説明する。図３は、携帯電話５０の電気回路構成を示すブロック図である。図３に示すように、携帯電話５０は、タッチセンサ５４、アンテナ５５、無線部５６、音声処理部５７、マイク５８、スピーカ５９、バイブレータ６０、メモリ６１、及び、制御部６２を有する。タッチセンサ５４は、センサエレメント５４ａ、５４ｂを有したものであって、センサエレメント５４ａ、５４ｂの間に所定電圧を印可し、センサエレメント５４ａ、５４ｂの間の抵抗の変化を検出し、その変化によって、携帯電話５０自身が利用者の手によって握られていることを検出する。
【００１８】
具体的には、携帯電話５０自身が利用者の手によって握られいないとき、センサエレメント５４ａ、５４ｂの間の抵抗は、ほぼ、無限大になる。一方、携帯電話５０自身が利用者の手によって握られると、センサエレメント５４ａ、５４ｂの間の抵抗が無限大から小さくなる。すなわち、センサエレメント５４ａから利用者の手を通してセンサエレメント５４ｂに電流が流れる。このような電流を検出することにより、センサエレメント５４ａ、５４ｂの間の抵抗の変化を検出することになる。
【００１９】
無線部５６は、制御部６２の制御によって、送信信号をアンテナ５５から出力させる一方、アンテナ５５での受信信号を受信する。音声処理部５７は、制御部６２の制御によって、送話信号を送信信号に変換する一方、受信信号を受話信号に変換する。また、音声処理部５７は、制御部６２の制御によって、メロディをスピーカ５９から出力させる。マイク５８は、利用者の送話を送話信号に変換し音声処理部５７に出力し、スピーカ５９は、音声処理部５７からの受話信号を受話に変換する。
【００２０】
バイブレータ６０は、制御部６２の制御によって、振動を発生して、その振動を利用者に伝える役割を果たす。メモリ６１は、制御部６２の各種プログラム、各種データとを保持し、制御部６２は、マイクロコンピュータ等から構成されたもので、通話処理に加えて、後述するアミューズメント処理、及び情報要求閲覧処理を行う。以下、第１実施形態での作動について図４を参照して説明する。
【００２１】
先ず、携帯電話５０の制御部６２は、ブラウザの実行中に、タッチセンサ５４の出力に基づいて携帯電話５０自身が握られているか否かを判定し（ステップ１００）、携帯電話５０自身が握られているとき、ステップ１１０に進んで、計時カウンタをインクリメントする。これにより、携帯電話５０自身が握られた累積時間を計時できる。なお、以下、携帯電話５０自身が握られた累積時間を、単に、累積時間という。
【００２２】
次に、携帯電話５０の制御部６２では、ブラウザの実行中に、サービス提供サーバー１０にアクセスしたか否かを判定する（ステップ１２０）。ここで、利用者によるキー操作部５３への操作によって、ＵＲＬ（ｕｎｉｆｏｒｍ    ｒｅｓｏｕｒｃｅ    Ｌｏｃａｔｏｒ）を指定して、基地局４０を通して、ゲートウェイサーバー３０及びインターネット２０を経て、サービス提供サーバー１０にアクセスしたとき、サービス提供サーバー１０は、当該アクセスを受け、累積時間を要求する要求信号を、インターネット２０を通してゲートウェイサーバー３０及び基地局４０を経て携帯電話５０に送信する（ステップ２００）。
【００２３】
次に、携帯電話５０の制御部６２は、ブラウザの実行中に、要求信号を受信すると（ステップ１３０）、累積時間のデータを含む累積時間信号（時間信号）を送信する（ステップ１４０）。すると、累積時間信号は、基地局４０を通して、ゲートウェイサーバー３０及びインターネット２０を経てサービス提供サーバー１０に送られる。サービス提供サーバー１０は、累積時間信号を受信すると（ステップ２１０）、累積時間信号の累積時間に基づき利用者のランク分け処理を行う（ステップ２２０）。具体的には、利用者のランク分け処理では、図５に示すように、累積時間が１０時間以上２０時間未満のとき（１０ｈ≦累積時間＜２０ｈ）、利用者は、ランク「１」に選別される。累積時間が２０時間以上３０時間未満のとき（２０ｈ≦累積時間＜３０ｈ）、利用者は、ランク「２」に選別される。累積時間が２０時間以上時間３０未満のとき（２０ｈ≦累積時間＜３０ｈ）、利用者は、ランク「２」に選別される。累積時間が３０時間以上のとき（３０ｈ≦累積時間）、利用者は、ランク「３」に選別される。
【００２４】
次に、サービス提供サーバー１０では、利用者がランク「１」に選別されか否かを判定し（ステップ２３０）、利用者がランク「１」に選別されたとき、ステップ２４０に進んで、メモリ６１の第１のランクフラグをセットする。また、ステップ２３０にて、利用者がランク「１」に選別されていないとき、利用者がランク「２」に選別されか否かを判定し（ステップ２５０）、利用者がランク「２」に選別されたとき、ステップ２６０に進んで、メモリ６１の第２のランクフラグをセットする。さらに、ステップ２５０で、利用者がランク「２」に選別されていないとき、利用者がランク「３」に選別されて、メモリの第３のランクフラグをセットする（ステップ２７０）。このように、第１〜３のランクフラグのうちいずれか１つがセットされることにより、ランク分けされた結果がメモリに格納される。
【００２５】
次に、携帯電話５０の制御部６２は、ブラウザの実行中に、累積時間信号の送信後にて、コンテンツ選択処理を行う（ステップ１５０）。具体的には、携帯電話５０の制御部６２は、「閲覧を希望するコンテンツを選択してください。１：コンテンツＡ、２：コンテンツＢ、３：コンテンツＣ」といった内容を液晶パネル５２に表示させる。
【００２６】
ここで、制御部６２は、利用者によりキー操作部５３のテンキー「１」が押下されたとき、コンテンツＡが選択されて、その旨を示す選択信号を送信する。また、キー操作部５３のテンキー「２」が押下されたとき、コンテンツＢが選択されて、その旨を示す選択信号を送信する。一方、テンキー「３」が押下されたとき、コンテンツＣが選択されて、その旨を示す選択信号を送信する。このように、利用者のキー操作部５３への操作により利用者に選択されたコンテンツ（以下、選択コンテンツという）を示す選択信号が送信される。その後、送信信号は、基地局４０を通して、ゲートウェイサーバー３０及びインターネット２０を経て、サービス提供サーバー１０に送られる。
【００２７】
次に、サービス提供サーバー１０は、選択信号を受信すると（ステップ２８０）、その選択信号と第１〜第３のランクフラグとに基づいて、コンテンツの提供を許可するか否かを判定する（ステップ２９０）。なお、選択コンテンツの提供を許可するか否かの判定については、後述する。そして、コンテンツ提供の許可を判定したとき、選択信号に対応する選択コンテンツを、インターネット２０を通してゲートウェイサーバー３０及び基地局４０を経て携帯電話５０に送信する（ステップ３００）。その後、携帯電話５０の制御部６２は、ブラウザの実行中に、選択コンテンツを受信すると、この選択コンテンツを液晶パネル５２に表示させる（ステップ１６０）。このため、利用者は、選択コンテンツを液晶パネル５２で閲覧できる。
【００２８】
次に、サービス提供サーバー１０は、ステップ２９０で、コンテンツ提供の禁止を判定すると、警告信号を、インターネット２０を通してゲートウェイサーバー３０及び基地局４０を経て携帯電話５０に送信する（ステップ３１０）。その後、携帯電話５０の制御部６２は、ブラウザの実行中に、警告信号を受信すると、「貴方が希望したコンテンツは、その提供が禁止されています」といった内容を液晶パネル５２に表示させる（ステップ１６０）。
【００２９】
次に、図６を参照して、選択コンテンツの提供を許可するか否かの判定について説明する。先ず、図６に示すように、ランク「１」の利用者は、コンテンツＡがその閲覧を許可されている。ランク「２」の利用者は、コンテンツＡ、Ｂがそれらの閲覧を許可されており、ランク「３」の利用者は、コンテンツＡ、Ｂ、Ｃの全ての閲覧を許可されている。このように、ランク「１」、「２」、「３」の順に、閲覧許可されているコンテンツが増えるようになっている。
【００３０】
以下、第１実施形態の特徴を説明する。タッチセンサ５４の検出に基づいて、利用者が携帯電話５０自身を握った累積時間を求める。さらに、上述の如く、ランク「１」、「２」、「３」の順に、閲覧許可されているコンテンツが増えるようになっている。換言すれば、累積時間が長くなるにつれて閲覧可能であるコンテンツ（コンテンツＡ〜Ｃ）が増えるようになっている。このため、利用者は、携帯電話５０によって、累積時間に応じて異なるコンテンツを閲覧できるため、携帯電話５０は、累積時間に応じて異なったサービスを利用者に提供できる。
【００３１】
なお、上記第１実施形態では、累積時間が長くなるにつれて閲覧可能であるコンテンツ（コンテンツＡ〜Ｃ）を増やすようにしていたが、これに限らず、累積時間に応じてポイント（仮想マネー）を利用者に提供するようにしてもよい。この場合、図６に示すように、ランク「１」の利用者には、１０ポイントが提供されて、ランク「２」の利用者には、２０ポイントが提供される。また、ランク「３」の利用者には、２０ポイントが提供される。そして、所定値のポイントとの交換により閲覧できるコンテンツを用意すれば、利用者にとっては、携帯電話５０によって累積時間に応じて異なるコンテンツを閲覧できる。なお、利用者は、自身のポイントを他人に提供できるようにしてもよい。
【００３２】
（第２実施形態）
上記第１実施形態では、携帯電話５０は、その累積時間に応じたコンテンツをインターネット２０を通してゲートウェイサーバー３０及び基地局４０を経て、サービス提供サーバー１０から提供されることにより、累積時間に応じてサービスを利用者に提供する例について説明したが、これに限らず、以下のようにしてもよい。すなわち、携帯電話５０は、インターネット２０、ゲートウェイサーバー３０、基地局４０、及び、サービス提供サーバー１０に関わりなく、携帯電話５０自身で、その累積時間に応じてサービスを利用者に提供する。また、第２実施形態での携帯電話５０の制御部６２は、情報要求閲覧処理に代えてアミューズメント処理を行う。
【００３３】
ここで、アミューズメント処理では、後述する如く、利用者へのサービスの提供として、予め設定されたアイコンの意匠と異なる意匠のアイコンを液晶パネル５２に表示可能にするものである。そこで、制御部６２におけるアミューズメント処理の具体的な説明に先立って、アイコンにつき説明する。
【００３４】
先ず、利用者のキー操作部５３への操作によって、選択メニューモードが選択されると、制御部６２は、図７に示すように、液晶パネル５２に表示させる。すなわち、液晶パネル５２は、アイコン５２ａ〜５２ｄを表示する。ここで、アイコン５２ａは、通話機能を示す記号・図形で、アイコン５２ｂは、メール機能を示す記号・図面である。アイコン５２ｃは、伝言メモ機能を示す記号・図面で、アイコン５２ｄは、着信音の設定機能の記号・図面である。
【００３５】
但し、アイコン５２ａ〜５２ｄは、各々、液晶パネル５２（表示パネル）に表示された状態で、利用者によるキー操作部５３（操作部）への操作（クリック操作）によって、対応する機能を起動させるものである。また、予め設定された各アイコンの意匠としては、図７に示すように、長方形の枠とともにその枠内の文字情報（通話、メール、伝言メモ、着信音）が採用されている。
【００３６】
次に、携帯電話５０の制御部６２におけるアミューズメント処理につき図８を参照して説明する。以下、携帯電話５０の制御部６２において、利用者のキー操作部５３への操作によってアミューズメントモードに設定されている例について説明する。また、アミューズメント処理は、電源ＯＮ状態で、所定周期毎の割込処理で行われる。制御部６２は、アミューズメント処理を、図８のフローチャートに従って、実行する。
【００３７】
先ず、タッチセンサ５４の出力に基づいて携帯電話５０自身が握られているか否かを判定し（ステップ４００）、携帯電話５０自身が握られているとき、ステップ４１０に進んで、計時カウンタをインクリメントする。これにより、携帯電話５０自身が握られた累積時間を計時できる。その後、メモリ６１に累積時間を格納し、ステップ４２０に進み、累積時間が４０時間以上か否かを判定する。ここで、累積時間が４０時間以上のとき（累積時間≧４０ｈ）、ステップ４３０に進んで、着信音の設定機能を示すアイコン（以下、着信アイコンという）の変化処理が終了したか否かを判定する。そして、着信アイコンの変化処理が終了していないとき、ステップ４４０に進み、後述する着信アイコンの変化処理を行う。
【００３８】
次に、ステップ４２０にて、累積時間が４０時間未満のとき（累積時間＜４０ｈ）、ステップ４５０に進んで、累積時間が３０時間以上か否かを判定する。ここで、累積時間が３０時間以上のとき（累積時間≧３０ｈ）、ステップ４６０に進んで、伝言メモ機能を示すアイコン（以下、伝言メモアイコンという）の変化処理が終了したか否かを判定する。伝言メモアイコンの変化処理が終了していないとき、ステップ４７０に進んで、伝言メモアイコンの変化処理を行う。
【００３９】
次に、ステップ４５０にて、累積時間が３０時間未満のとき（累積時間＜３０ｈ）、ステップ４８０に進んで、累積時間が２０時間以上か否かを判定する。ここで、累積時間が２０時間以上のとき（累積時間≧２０ｈ）、ステップ４９０に進んで、メール機能を示すアイコン（以下、メールアイコンという）の変化処理が終了したか否かを判定する。メールアイコンの変化処理が終了していないとき、ステップ５００に進んで、メールアイコンの変化処理を行う。
【００４０】
次に、ステップ４８０にて、累積時間が２０時間未満のとき（累積時間＜２０ｈ）、ステップ５１０に進んで、累積時間が１０時間以上か否かを判定する。ここで、累積時間が１０時間以上のとき（累積時間≧１０ｈ）、ステップ５２０に進んで、通話機能を示すアイコン（以下、通話アイコンという）の変化処理が終了したか否かを判定する。通話アイコンの変化処理が終了していないとき、ステップ５３０に進んで、通話アイコンの変化処理を行う。このように、ステップ５００〜ステップ５３０の処理を繰り返すことにより、累積時間に応じて、通話、メール、伝言メモ、着信音設定といったアイコンの表示変化処理を行う。
【００４１】
次に、アイコンの表示変化処理の一例として、通話のアイコンの表示変化処理について図９を参照して説明する。図９（ａ）〜（ｄ）は、アミューズメント処理における液晶パネル５２での表示を示す。
【００４２】
先ず、液晶パネル５２で、図９（ａ）に示すように、卵５２ａを表示させて、累積時間が３時間のとき、図９（ｂ）に示すように、液晶パネル５２で、「割れ目」を有する卵５２ａを表示させる。そして、累積時間が９時間になると、図９（ｃ）に示すように、液晶パネル５２で、卵５２ａを、時間の経過に応じて徐々に割れるように表示させる。このような表示にともなって、バイブレータ６０を一定期間、振動させる。その後、累積時間が１０時間になると、図９（ｄ）の符号５２ｆに示すように、液晶パネル５２で、通話アイコン２１０を星形の意匠で表示させると共に、「このアイコンを使用しますか１：ＹＥＳ、２：ＮＯ」といった内容を表示させる。このような表示にともなって、音声処理部５７によって、スピーカ５９からメロディを発生させる。ここで、利用者によりキー操作部５３のテンキー「１」が押下されると、アミューズメントモードから選択メニューモードに切り替わり、液晶パネル５２では、予め設定された通話アイコンの表示（図７中５２ａ参照）に代えて、星形の意匠の通話アイコンが表示される。
【００４３】
次に、メールのアイコンの表示変化処理が、通話アイコンの表示変化処理と実質的に同様に実行され、メールアイコンにおいても、予め設定された意匠からその意匠と異なる、新しい意匠で表示される。そして、伝言メモアイコンの表示変化処理が、通話アイコンの表示変化処理と実質的に同様に実行され、メールアイコンにおいても、予め設定された意匠からその意匠と異なる、新しい意匠で表示される。その後、着信アイコンにおいても、通話アイコンの表示変化処理と実質的に同様に実行され、着信アイコンにおいても、予め設定された意匠からその意匠と異なる、新しい意匠で表示される。
【００４４】
以下、本第２実施形態での特徴を述べる。先ず、上記第１実施形態と同様に、タッチセンサ５４の検出に基づいて、利用者が携帯電話５０自身を握った累積時間を求める。この累積時間に応じて、予め設定されたアイコンの意匠に代えてその意匠と異なる、新しい意匠のアイコンを液晶パネル５２に表示させる。このように、予め設定されたアイコンの意匠に代えて、新しい意匠のアイコンの表示させることにより、累積時間に応じたサービスを利用者に提供できる。
【００４５】
また、新しいアイコンが表示される課程で、図９（ｃ）に示すように、卵５２ｃが割れるときに、バイブレータを振動させるので、携帯電話５０の利用者に斬新性を与えることができる。ここで、利用者に斬新性を与えるにあたり、図９（ｆ）に示すように、新しいアイコン（星形意匠の）を表示させるに併せて、メロディを発生させるので、より、効果的である。
【００４６】
なお、上記第２実施形態では、液晶パネル５２で、累積時間に応じて新しい意匠のでアイコンを表示させるようにしたが、これに限らず、累積時間に応じてサービスを利用者に提供するために所定動作（イベント）を起こすものであれば、表示、音声、若しくは振動を、累積時間に応じて起こさせるようにしてもよい。
【００４７】
さらに、上記各実施形態では、利用者の手によって携帯電話が握られていることを検出するため、センサエレメント５４ａ、５４ｂの間の抵抗の変化を検出するタッチセンサを採用した例について説明したが、これに限らず、圧力検出式のタッチセンサを採用してもよい。具体的には、圧力検出式のタッチセンサは、両圧力センサエレメント（１つの圧力センサエレメントでもよい）を有し、両圧力センサエレメントは、それぞれ、センサエレメント５４ａ、５４ｂと同様に、ケース５１の側面５１ｂ、５１ｃに配設されることにより、ケース５１への利用者の手による圧力（握力）を検出する。これにより、圧力検出式のタッチセンサは、携帯電話５０、ひいては、そのケース５１が利用者の手によって握られていることを検出できる。
【００４８】
なお、本発明の実施にあたり、携帯通信端末として、携帯電話５０を適用した例について説明したが、これに限らず、利用者に握られた状態で、使用されるものであるならば、ＰＨＳ等の各種携帯通信端末を採用してもよい。
【００４９】
また、上記記載の機能を実行するプログラムをネットワークを介して配信したり、記憶媒体に保存して配布し、そのプログラムを携帯電話の通信機能を利用してダウンロードし、インストールして利用するようにしても良い。
【図面の簡単な説明】
【図１】本発明の第１実施形態における通信システムの構成を示す図である。
【図２】図１に示す携帯電話の斜視図である。
【図３】図１に示す携帯電話の電気回路構成を示すブロック図である。
【図４】図１に示す携帯電話とサービス提供サーバーとの作動を示すフローチャートである。
【図５】上記第１実施形態における、利用者のランク分け、及び、そのランク毎における提供可能であるコンテンツを説明するための図表である。
【図６】上記第２実施形態の変形例における、ランク毎における提供可能であるポイントを説明するための図表である。
【図７】本発明の第２実施形態でのアイコンを説明するための図である。
【図８】上記第２実施形態における、携帯電話５０の制御部の作動を示すフローチャートである。
【図９】上記第２実施形態における、携帯電話の表示パネルの表示を示す図である。
【符号の説明】
５２…液晶パネル、５２ａ…卵、５３…キー操作部、５７…音声処理部、
５９…スピーカ、６０…バイブレータ、２１０…通話アイコン。
【図１】
0003622683.tif 000002
【図２】
0003622683.tif 000003
【図３】
0003622683.tif 000004
【図４】
0003622683.tif 000005
【図５】
0003622683.tif 000006
【図６】
0003622683.tif 000007
【図７】
0003622683.tif 000008
【図８】
0003622683.tif 000009
【図９】
0003622683.tif 000010